(57)【要約】【課題】従来の、進相コンデンサ収納部１の上部に直列リアクトル収納部２を配置し、同一のケース３に収納したコンデンサ装置をさらに小型化すると共に、同一のケース３内に進相コンデンサ収納部１、及び直列リアクトル収納部２以外の他の電気部品を配置することも可能にするコンデンサ装置を提供する。【解決手段】直列リアクトル収納部２の配置箇所を、進相コンデンサ収納部１の中心よりもケース側面７の側に偏らせ、直列リアクトル収納部２とケース側面との間隔のうち、一方のケース側面との間隔Ｌ１を、他方のケース側面との間隔Ｌ２より大きくなるように直列リアクトル収納部２を配置する。これによって、上記間隔うち、大きい方の間隔Ｌ１のスペースに直列リアクトルと進相コンデンサとの配線部５を収納することが可能となり、ケース３を小型化できる。また上記手段により確保した大きい方のスペースに、電気部品を配置することもできる。【選択図】図１
2005110447.tif 000002
【特許請求の範囲】
【請求項１】
進相コンデンサ収納部（１）の上部に直列リアクトル収納部（２）を配置し、同一のケース（３）に収納したコンデンサ装置であって、直列リアクトル収納部（２）の配置箇所を、進相コンデンサ収納部（１）の中心よりもケース側面の側に偏らせ、直列リアクトル収納部（２）とケース側面との間隔のうち、一方のケース側面との間隔（Ｌ１）を、他方のケース側面との間隔（Ｌ２）よりも大きくなるように直列リアクトル収納部（２）を配置したことを特徴とするコンデンサ装置。
【請求項２】
上記間隔のうち、大きい方の間隔（Ｌ１）のスペースに電気部品（９）を配置したことを特徴とする請求項１のコンデンサ装置。
【請求項３】
進相コンデンサ収納部（１）の上部に直列リアクトル収納部（２）を配置したコンデンサ装置であって、直列リアクトル収納部（２）を進相コンデンサ収納部（１）の中心より片側に偏らせて配置し、盤内に収納するようにしたことを特徴とするコンデンサ装置。
【発明の詳細な説明】
【技術分野】
【０００１】
この発明は、コンデンサ装置に関するもので、詳しくは、電気設備の力率改善に用いられる進相用のコンデンサ装置に関するものである。
【背景技術】
【０００２】
進相用コンデンサは、その負荷に回路の電圧波形にひずみ波形を発生させる機器が含まれる場合、高調波電流の流入によるコンデンサの過負荷を防止したり、コンデンサ開閉時の突入電流等を抑制したりするために、進相コンデンサに直列リアクトルを接続して使用されていた。この進相コンデンサと、直列リアクトルはそれぞれ別々のケースに収められており、設置する際に広いスペースが必要とされると共に、進相コンデンサの外部接続用端子と直列リアクトルとを接続するための配線作業が必要とされた。従って、設置スペースの問題に加えて、スペースが不十分な場合には配線作業が困難になるという問題があった。
【０００３】
そこで、図３に示す特許文献１のコンデンサ装置においては、進相コンデンサと直列リアクトルとの直列接続構成をデルタ結線し、単一のケース１０に収納すると共に、進相コンデンサ収納部１１の上に直列リアクトル収納部１２を配置して、ケース天板に取着された吊手１４に直列リアクトル収納部１２を連結している。これによって特許文献１のコンデンサ装置は従来品より小型化され、設置スペースを少なくすると共に配線作業も簡素化された。
【特許文献１】特開２０００−４７７４２号公報
【発明の開示】
【発明が解決しようとする課題】
【０００４】
ところで、上記従来のコンデンサ装置においては、図３に示すように、進相コンデンサと直列リアクトルとの配線部１５が、ケース内の進相コンデンサ収納部１１と直列リアクトル収納部１２の側方スペースに設置されていた。従ってこの配線部１５が障害となってケース１０のさらなる小型化が困難となり、配線部１５周囲に空きスペースが生じていた。また、それぞれ大きさが異なる直列リアクトル収納部１１と進相コンデンサ収納部１２とをケース１０内の略中心位置において上下に積層して配置したため、設置面積の小さい直列リアクトル収納部１２周囲にも空きスペースが生じていた。従って、ケース１０内では、配線部１５と直列リアクトル収納部１２の周囲に、他の電気部品の配置等に使用するには小さすぎるが、総体積としては大きな無駄なスペースが生じていた。
【０００５】
この発明は、上記従来の問題点を解決するためになされたもので、その目的は、従来のコンデンサ装置をさらに小型化したり、あるいは同一のケース内に他の電気部品を配置することを可能にするコンデンサ装置を提供することにある。
【課題を解決するための手段】
【０００６】
そこで、請求項１のコンデンサ装置は、進相コンデンサ収納部１の上部に直列リアクトル収納部２を配置し、同一のケース３に収納したコンデンサ装置であって、直列リアクトル収納部２の配置箇所を、進相コンデンサ収納部１の中心よりもケース側面の側に偏らせ、直列リアクトル収納部２とケース側面との間隔のうち、一方のケース側面との間隔Ｌ１を、他方のケース側面との間隔Ｌ２よりも大きくなるように直列リアクトル収納部２を配置したことを特徴としている。
【０００７】
上記請求項１のコンデンサ装置によれば、進相コンデンサ収納部１よりも設置面積の小さい直列リアクトル収納部２をケース３の一方の側面に偏らせて配置したことにより、従来は直列リアクトル収納部２の周囲に均等に分散され、小さすぎて使用不可能であったスペースが、直列リアクトル収納部２を偏らせた方向と反対側のスペースにまとめられる。
【０００８】
また、請求項２のコンデンサ装置では、上記間隔のうち、大きい方の間隔Ｌ１のスペースに電気部品９を配置したことを特徴としている。
【０００９】
上記請求項２のコンデンサ装置によれば、同一のケース３内にケース３を大きくすることなく、電気部品９を配置したため、コンデンサ装置の実質的な小型化、及び多機能化を実現することができる。
【００１０】
さらに、請求項３のコンデンサ装置は、進相コンデンサ収納部１の上部に直列リアクトル収納部２を配置したコンデンサ装置であって、直列リアクトル収納部２を進相コンデンサ収納部１の中心より片側に偏らせて配置し、盤内に収納するようにしたことを特徴としている。
【００１１】
上記請求項３のコンデンサ装置によれば、進相コンデンサ収納部１より設置面積の小さい直列リアクトル収納部２を、進相コンデンサ収納部１の中心より片側に偏らせて配置したため、進相コンデンサ収納部１の上方に空きスペースを設けることができる。
【発明の効果】
【００１２】
請求項１のコンデンサ装置では、直列リアクトル収納部を偏らせた方向と反対側のスペースにまとまった比較的大きなスペースを作ることができるので、このスペースにケースの小型化の障害となっていた配線部を収納して、ケース全体を縮小することや、又は、他の電気部品等を配置することができる。
【００１３】
請求項２のコンデンサ装置では、従来と同じ大きさのケースのスペースを有効利用して電気部品を配置したため、コンデンサ装置の実質的な小型化、及び多機能化を実現することができる。従って、装置の多機能化に加えて、電気部品との配線の手数もあらかじめ省いた多機能コンデンサ装置を製造することができる。
【００１４】
請求項３のコンデンサ装置では、進相コンデンサ収納部の上方に空きスペースを設けることができるため、このスペースを利用して盤内で他装置や他部品との接続ができる。従って、盤内にコンデンサ装置を容易に組み込むことができる。
【発明を実施するための最良の形態】
【００１５】
次に、この発明のコンデンサ装置の具体的な実施の形態について、図面を参照して詳細に説明する。図１は、この発明に基づくコンデンサ装置の第１の実施形態の側面視略図を示す。図１に示すように、直列リアクトル収納部２の体積、及び設置面積は、進相コンデンサ収納部１に比べて小さく、進相コンデンサ収納部１の上部に直列リアクトル収納部２を配置し、両者がケース３に収納されている。進相コンデンサ収納部１には３相分の進相コンデンサが、また直列リアクトル収納部２には３相分の直列リアクトルが収納されている。進相コンデンサと直列リアクトルは、配線部５において直列接続され、３相分がデルタ結線されている。直列リアクトル収納部２は、進相コンデンサ収納部１の中心線６よりケース側面７の側に偏って配置されており、直列リアクトル収納部２とケース側面との間隔は、図１に示すように、一方の間隔Ｌ１が他方の間隔Ｌ２よりも大きくなっている。そしてこの間隔Ｌ１の大きい方のスペースに配線部５を収納している。
【００１６】
このように、体積、及び設置面積の小さい直列リアクトル収納部２をケース３の一方の側面７に偏らせて配置したことにより、従来は直列リアクトル収納部２の周囲に均等に分散され、小さすぎて使用不可能であったスペースが、直列リアクトル収納部２を偏らせた方向と反対側のスペースにまとめられる。そして、このスペースにケース３の小型化の障害となっていた配線部５を収納して、ケース３全体を縮小することが可能になる。
【００１７】
次に図２に、コンデンサ装置の第２の実施形態の正面視略図を示す。図２に示すように、直列リアクトル収納部２の体積、及び設置面積は、進相コンデンサ収納部１に比べて小さく、進相コンデンサ収納部１の上部に直列リアクトル収納部２を配置し、ケース３に収納されている。進相コンデンサ収納部１には３相分の進相コンデンサが、また直列リアクトル収納部２には３相分の直列リアクトルが収納されている。進相コンデンサと直列リアクトルは直列接続され、各直列接続構成は切換器によって、並列接続、及びデルタ接続のいずれかに切換えて接続される。直列リアクトル収納部２は、進相コンデンサ収納部１の中心６よりケース側面８の側に偏って配置されており、直列リアクトル収納部２とケース側面との間隔は、図２に示すように、一方の間隔Ｌ１が他方の間隔Ｌ２よりも大きい。そしてこの間隔Ｌ１の大きい方のスペースにおいて、上記切換器や、切換器の開閉を制御する制御回路等の電気部品９を配置し、かつ進相コンデンサ、直列リアクトル、電気部品９、及び端子４を結線する配線部５を配置している。
【００１８】
上記第２の実施形態においては、従来と同じ大きさのケース３のスペースを有効利用して配線部５、及び電気部品９を配置したため、コンデンサ装置の実質的な小型化、及び多機能化を実現することができる。従って、装置の多機能化に加えて、電気部品９との配線の手数もあらかじめ省いた多機能コンデンサ装置を製造することができる。
【００１９】
以上にこの発明のコンデンサ装置の具体的な実施の形態について説明したが、この発明は上記実施の形態に限定されるものではなく、この発明の範囲内で種々変更して実施することが可能である。例えば、図２の実施形態では、確保したスペースに電気部品９を配置しているが、代わりにコンデンサ装置の冷却用のファンなど機械部品を配置してもよく、コンデンサ装置を一層多機能化、及び高性能型にすることが可能である。また、電気部品９に代わって電力計等の計器類を取り付けて、一層ユーザーの使い勝手を良くすると共に小型化されたコンデンサ装置を提供することもできる。
【００２０】
また、上記図１、及び図２の実施形態はケース入りのコンデンサ装置に関するものであったが、進相コンデンサ収納部１と直列リアクトル収納部２をケースに収めずに配電盤等の盤内に組み込む場合にも、上記実施形態と同様に適用可能である。すなわち、設置面積の小さい直列リアクトル収納部２を進相コンデンサ収納部１の中心より片側に偏らせて配置する。これによって、進相コンデンサ収納部１の上方に空きスペースが生じ、このスペースを利用して、盤内で他装置や他部品との接続が可能となる。そのため、配電盤等の盤内にコンデンサ装置を容易に組み込むことができる。
【図面の簡単な説明】
【００２１】
【図１】この発明の第１の実施形態の側面視略図である。
【図２】この発明の第２の実施形態の正面視略図である。
【図３】従来例を示す側面視略図である。
【符号の説明】
【００２２】
１・・進相コンデンサ収納部、２・・直列リアクトル収納部、３・・ケース、９・・電気部品、Ｌ１・・直列リアクトル収納部とケース側面との大きい方の間隔、Ｌ２・・直列リアクトル収納部とケース側面との小さい方の間隔
【図１】
2005110447.tif 000003
【図２】
2005110447.tif 000004
【図３】
2005110447.tif 000005